(57)【要約】【課題】原稿を低速で読取る場合に、原稿の同一ページ内で読取り濃度差を低減できる原稿読取装置を提供する。【解決手段】露光ランプを点灯後（ＳＰ１）に、原稿を読取る前に、白基準板による露光ランプの反射に基づく光量Ｖ１を確認し（ＳＰ２）、ΔＴ時間待機した後（ＳＰ３）、光量Ｖ２を測定し、測定したランプ光量の差Ｖが所定値以下であれば（ＳＰ５）、そのときの光量を基準値とし（ＳＰ７），読取部による原稿の読取を許容する（ＳＰ８）ことにより、原稿の先端と後端とで読取り濃度差を低減する。【選択図】図４
2007235883.tif 000002
【特許請求の範囲】
【請求項１】
原稿を読取る原稿読取装置であって、
前記原稿に光を走査しながら照射するための露光ランプと、
前記露光ランプによって光が照射されている原稿からの反射画像を読取るための読取手段と、
前記露光ランプを点灯後に、前記原稿読取手段によって前記原稿からの反射画像を読取る前に、所定時間ごとに前記露光ランプのランプ光量を測定する光量測定手段と、
前記光量測定手段によって測定した前後２回の間におけるランプ光量の差が所定値以下であれば、前記読取手段による前記原稿の読取を許容する制御手段とを備える、原稿読取装置。
【請求項２】
前記読取手段による前記原稿の読取位置近傍に設けられる白基準板を含み
前記光量測定手段は、前記白基準板で反射した前記露光ランプの反射光量を測定する、請求項１に記載の原稿読取装置。
【請求項３】
前記光量測定手段は、前記原稿の搬送方向長さによって前記所定時間を変化させる、請求項１または２に記載の原稿読取装置。
【請求項４】
前記光量測定手段は、前記露光ランプの点灯後、数秒経過後に前記ランプ光量の測定を開始する、請求項１から３のいずれかに記載の原稿読取装置。
【請求項５】
前記ランプ光量の差は、１階調以内である、請求項１から４のいずれかに記載の原稿読取装置。
【請求項６】
前記ランプ光量の差は、前記原稿の同一ページ内の先端と後端とにおけるランプ光量の差である、請求項１から５のいずれかに記載の原稿読取装置。
【請求項７】
前記ランプ光量の差は、前記原稿の搬送方向長さの任意の２箇所におけるランプ光量の差である、請求項１から５のいずれかに記載の原稿読取装置。
【発明の詳細な説明】
【技術分野】
【０００１】
この発明は原稿読取装置に関し、特に、デジタル複写機やＦＡＸやスキャナなどの読取面に載置された原稿を読取る原稿読取装置に関する。
【背景技術】
【０００２】
デジタル複写機などの原稿読取装置は、コンタクトガラス上に置かれた原稿に露光ランプからの光を走査しながら照射し、原稿画像からの反射光をレンズで結像し、ＣＣＤで読取るように構成されている。このような原稿読取装置において、原稿を読取る際の画像濃度の基準とすべき白色として、原稿を読取る直前に白の基準として設置されている基準白板をまず読取り、シェーディングデータを生成し、その後に読取った画像データとシェーディングデータとを演算してシェーディング補正を行い、画像処理を行って出力している。
【０００３】
露光ランプとして光量変動の少ないものが用いられるが、長時間使用されない場合、ランプ光量の立ち上がり時間が通常より長くなることがある。このため、基準白板位置に白データを読みに行った時点で未だ光量が立上がっていない状態が発生し、シェーディング異常が発生する。
【０００４】
そこで、特開２００２−３００３９４号公報（特許文献１）には、原稿移動型（シートスルー型）の自動原稿供給装置により連続して原稿が搬送される場合、１枚目の原稿に対して露光ランプの光量をモニタしてシェーディング補正動作を実行し、２枚目以降の原稿に対してシェーディング補正動作を行わない場合にも各原稿の読取ごとに露光ランプ光量をモニタし、モニタの過程で予め設定した変化量以上の変化量を検出したとき、再度シェーディング補正動作を行わせるようにした画像読取装置について記載されている。
【特許文献１】特開２００２−３００３９４号公報（要約）
【発明の開示】
【発明が解決しようとする課題】
【０００５】
特許文献１に記載された画像読取装置は、１ページの原稿内の光量補正をしていない。これは原稿の読取りを高速で行う原稿読取装置においては、原稿１枚を走査する時間が短く、露光ランプの光量変化も少ないので、原稿の先端と後端とでは読取り濃度に変化は見つかりにくいので、１ページ内の濃度低下は余り目立たないためである。
【０００６】
しかしながら、低速の原稿読取装置においては、同一ページの原稿内においても露光ランプの光量低下による読取り濃度低下が発生する可能性がある。
【０００７】
そこで、この発明の目的は、原稿を低速で読取る場合に、原稿の同一ページ内における読取り濃度差を低減できる原稿読取装置を提供することである。
【課題を解決するための手段】
【０００８】
この発明は、原稿を読取る原稿読取装置であって、原稿に光を走査しながら照射するための露光ランプと、露光ランプによって光が照射されている原稿からの反射画像を読取るための読取手段と、露光ランプを点灯後に、原稿読取手段によって原稿を読取る前に、所定時間ごとに露光ランプのランプ光量を測定する光量測定手段と、光量測定手段によって測定した前後２回の間におけるランプ光量の差が所定値以下であれば、読取手段による原稿の読取を許容する制御手段とを備える。
【０００９】
読取手段による原稿の読取位置近傍に設けられる白基準板を含み、光量測定手段は、白基準板で反射した露光ランプの反射光量を測定する。
【００１０】
好ましくは、光量測定手段は、原稿の搬送方向の長さによって所定時間を変化させる。また、光量測定手段は、露光ランプの点灯後、数秒経過後にランプ光量の測定を開始する。
【００１１】
さらに、好ましくは、ランプ光量の差は、１階調以内である。
【００１２】
ランプ光量の差は、具体的には、原稿の同一ページ内の先端と後端とにおけるランプ光量の差、あるいは原稿の搬送方向長さの任意の２箇所におけるランプ光量の差である。
【発明の効果】
【００１３】
この発明によれば、露光ランプを点灯後に、原稿を読取る前に、所定時間ごとに露光ランプのランプ光量を測定し、測定した前後２回の間におけるランプ光量の差が所定値以下であれば、読取手段による原稿の読取りを許容するようにしたので、原稿を低速で読取る場合に、原稿の同一ページ内における読取り濃度差を低減できる。
【発明を実施するための最良の形態】
【００１４】
図１はこの発明の一実施形態における原稿読取装置１の側面図である。図１において、原稿読取装置１は筐体２と、押え蓋３と、原稿給送部４とを含む。筐体２には点線で示すように、原稿を光学的に読取る読取手段としての読取部１１が内蔵されている。読取部１１は、露光ランプ５のみを示し、光学系や機構系などの図示を省略しているが、モータで駆動される移動フレームに露光ランプ５および反射ミラーを含む光学系を取付け、集光レンズと画像読取用の撮像素子（ＣＣＤ）を筐体２内に設けて構成されている。露光ランプ５を含む光学系は、図１に示す矢印方向に往復運動することで露光ランプ５からの光を走査して原稿に照射し、その反射光をＣＣＤで読取る。
【００１５】
筐体２の上面には、原稿載置台となる透明なカバーガラス６と、基準白板１２が取付けられている。読取部１１は、原稿を読取る際の画像濃度の基準とすべき白色として、原稿を読取る直前に白の基準として設置されている基準白板１２を読取る。押え蓋３は、給紙トレイ８と、排出トレイ９とを有しており、筐体２の上面端部に図示しないヒンジ機構により開閉可能に取付けられて、カバーガラス６に対して開閉動作する。
【００１６】
原稿給送部４は給紙トレイ８に載せられている原稿（図示せず）を取込む。その原稿は原稿給送部４内を搬送され、透光板４ｃ上を通過する際に原稿の画像が読取部１１で読込まれて排出トレイ９に排出される。原稿給送部４内には、給紙トレイ８上の最上部の原稿を取込むための給送ローラ４ａと分離ローラ４ｂとが設けられおり、原稿給送部４内に取込まれた原稿は、透光板４ｃ上を通過する。この透光板４ｃを通して原稿の画像が読取部１１で読取られる。透光板４ｃ上を通過した原稿は、１対の排出ローラ４ｄ，４ｅによって搬送され、排出口より排出トレイ９上に排出される。
【００１７】
図２はこの発明の一実施形態における原稿読取装置のブロック図である。図２において原稿読取装置１は、図１に示した露光ランプ５と、読取部１１以外に光量測定手段としての光量測定部１４と、操作部１５と、通信部１６と、これらを制御する制御手段としての制御部２０とを含む。
【００１８】
光量測定部１４は、原稿を読取る前に、原稿の１ページ内の先端と後端とにおける濃度差を低減するために、所定時間ごとに露光ランプ５の光量を測定する。この露光ランプ５の光量の測定は、図１に示した基準白板１２での露光ランプ５の反射光を読取部１１が検出し、光量測定部１４は、その検出出力に基づいて光量を測定することにより行われる。操作部１５は原稿の読取り開始を指令するためのキーなどを有している。通信部１６は読取部１１で読取られた原稿の画像データを外部回線に出力する。
【００１９】
図３は露光ランプ５の時間変化に対する光量変化を示す図である。図３において、横軸は時間の経過を示し、縦軸は光量の変化を示している。Ａ点、Ｂ点、Ｃ点は時間的に等間隔な時点の光量を示している。図１および図２に示した露光ランプ５として、冷陰極管を使用した場合、電源を投入後、光量が大きく立上がるが、時間の経過とともに光量の変化は徐々に少なくなり、Ａ−Ｂ間の変化に比べて、Ｂ−Ｃ間の変化は小さくなっている。
【００２０】
そこで、この発明の一実施形態では、基準白板１２での露光ランプ５の反射光の読取り値を監視して、前回の読取り値と、今回の読取り値との差および測定時間間隔から原稿走査に必要な時間で低下する光量を算出し、これが許容値以下であれば、原稿の読取りを開始する。
【００２１】
図４は、この発明の一実施形態における原稿読取装置の動作を説明するためのフローチャートである。図４において、ステップ（図示ではＳＰと略称する。）ＳＰ１において、露光ランプ５を図１に示した白基準板１２の近傍に位置させて点灯し、ステップＳＰ２において、白基準板１２で反射した露光ランプ５の光量を光量測定部１４で測定し、測定した光量Ｖ１を確認する。このとき、電源投入後に露光ランプ５の光量が立上がるまで１秒位要するので、その時間を経過した後に光量Ｖ１を測定するのが好ましい。
【００２２】
ステップＳＰ３において、ΔＴ時間だけ待機する。このΔＴ時間は、例えば露光ランプ５が点灯してから数秒に選ばれる。なお、このΔＴ時間は、ロール紙などの原稿の搬送方向長さに応じて変化させてもよい。ステップＳＰ４において、再度露光ランプ５の光量を光量測定部１４で測定し、測定した光量Ｖ２を確認する。ステップＳＰ５において、光量Ｖ１とＶ２との差がＶより小さいか否かを判別する。小さくなければステップＳＰ６において光量Ｖ１の値をＶ２としてステップＳＰ３に戻る。
【００２３】
なお、Ｖの値は、目安として、マンセル色表のＮ９．５あるいは９．０程度の濃度差あるいは１階調以内に選ぶのが好ましい。
【００２４】
ステップＳＰ３において、再びΔＴの時間だけ待機し、ステップＳＰ４において、光量Ｖ２を測定する。ステップＳＰ５において、Ｖ＜Ｖ１−Ｖ２になったことを判別すると、ステップＳＰ７において、そのときの基準白板１２による露光ランプ５からの反射光の光量を基準値として獲得する。ステップＳＰ８において、読取部１１により原稿の読取りを開始する。
【００２５】
上述のごとく、この実施形態によれば、露光ランプ５を点灯後に、原稿を読取る前に、所定時間ごとに、白基準板１２による露光ランプ５の反射光による光量を測定し、測定した前後２回の光量の差が所定値以下であれば、読取部１１による原稿の読取を許容するようにしたので、原稿を低速で読取る場合に、原稿の先端と後端とにおけるランプ光量の差が小さくできるので読取り濃度差を低減できる。
【００２６】
なお、上述の光量Ｖ１，Ｖ２は、原稿の同一ページにおける先端と後端における反射光量に設定するのが好ましいが、ロール紙などのように搬送方向長さが長い場合には、先端と後端における反射光量の差が小さい場合に限らず、中央付近などの任意の２箇所の反射光量の差が小さければ原稿の読取りを許容するようにしてもよい。
【００２７】
また、上述の原稿読取装置１は、デジタル複写機や、ファクシミリ装置や、スキャナなどに適用できる。
【００２８】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２９】
【図１】この発明の一実施形態における原稿読取装置の側面図である。
【図２】この発明の一実施形態における原稿読取装置のブロック図である。
【図３】露光ランプの時間変化に対する光量変化を示す図である。
【図４】この発明の一実施形態における原稿読取装置の動作を説明するためのフローチャートである。
【符号の説明】
【００３０】
１  原稿読取装置、５  露光ランプ、１１  読取部、１２  白基準板、１４  光量測定部、１５  操作部、１６  通信部。
【図１】
2007235883.tif 000003
【図２】
2007235883.tif 000004
【図３】
2007235883.tif 000005
【図４】
2007235883.tif 000006